(57)【要約】  本発明は、テストヘッド(90)をプローバ(40)又は他の基準に対して配置するためのマニピュレータ(50)を提供する。このマニピュレータ(50)は、フレーム(51)と、このフレーム(51)に結合されたリンケージ(100)であって、各ピボット(180,185)の周りで回転する自由度を有する第１及び第２リンク(110,120)、並びにこれら第１及び第２リンク(110,120)に結合された第３リンク(130)を含み、この第３リンク(130)が並進移動及び回転の移動自由度を有するようなリンケージと、第３リンク(130)に結合され且つテストヘッド(90)に取り付ける構成にされたアダプタとを有している。また、本発明は、このマニピュレータ(50)を制御する方法も提供する。【選択図】図１
2009503854.tif 000002
【特許請求の範囲】
【請求項１】
プローバに対してテストヘッドを配置するための装置であって、
フレームと、
第１及び第２の細長いリードスクリュー(elongate lead screws)であって、各リードスクリューは、一端が前記フレームに枢着(pivotably coupled)され、第１リードスクリューは、第１ピボット軸の周りでピボット運動でき、第２リードスクリューは、第１ピボット軸に平行に延びる第２ピボット軸の周りでピボット運動でき、第１及び第２のリードスクリューは、第１及び第２の各回転軸の周りで回転可能であり、第１回転軸は、第１ピボット軸に垂直に延び、又、第２回転軸は、第２ピボット軸に垂直に延びるような第１及び第２のリードスクリューと、
前記第１リードスクリューに回転可能に結合された第１端部、及び前記第２リードスクリューに回転可能に結合された第２端部を有するリンクと、
前記第１回転軸の周りで第１及び第２の互いに逆の方向に前記第１リードスクリューを回転すると共に、前記第２回転軸の周りで第１及び第２の互いに逆の方向に前記第２リードスクリューを回転するために、前記第１及び第２のリードスクリューに結合された少なくとも１つのアクチュエータと、
前記リンクに結合され且つ前記テストヘッドを支持するようにされたアームと、
を備え、前記第１及び第２のリードスクリューを前記第１方向に回転すると、前記リンクを前記第１及び第２のリードスクリューに対して並進移動させ、前記テストヘッドを前記フレームに対して並進移動させると共に、前記第１リードスクリューを前記第１方向に回転し且つ前記第２リードスクリューを前記第２方向に回転すると、前記リンクを前記第１及び第２のリードスクリューに対して回転し、前記テストヘッドを前記フレームに対してピボット運動させるようにした装置。
【請求項２】
前記少なくとも１つのアクチュエータは、前記第１リードスクリューに結合された第１アクチュエータと、前記第２リードスクリューに結合された第２アクチュエータを含む、請求項１に記載の装置。
【請求項３】
前記アームは、前記テストヘッドを前記アームに沿って第１及び第２の互いに逆の方向に移動するための並進移動メカニズムを含む、請求項１に記載の装置。
【請求項４】
前記並進移動メカニズムは、直線的ガイドレールを含む、請求項３に記載の装置。
【請求項５】
前記リードスクリューは、ローリング要素スクリュー(rolling element screws)である、請求項１に記載の装置。
【請求項６】
プローバに対してテストヘッドを配置するためにマニピュレータであって、
フレームと、
前記フレームに結合されたリンケージであって、各ピボットの周りで回転する自由度を有する第１及び第２のリンク、及びこれら第１及び第２リンクに結合され、並進移動及び回転の移動自由度を有する第３リンクを含むようなリンケージと、
前記第３リンクに結合され、テストヘッドに取り付けるように構成されたアダプタと、
を備えたマニピュレータ。
【請求項７】
前記第１及び第２のリンクは、リードスクリューである、請求項６に記載の装置。
【請求項８】
前記第１及び第２のリンクは、ローリング要素スクリューである、請求項６に記載の装置。
【請求項９】
前記第３リンクは、独立して制御可能な２つのアクチュエータに結合される、請求項６に記載の装置。
【請求項１０】
一方のアクチュエータは、電気モータ、液圧アクチュエータ、及び空気圧アクチュエータより成るアクチュエータのグループに含まれたアクチュエータである、請求項９に記載の装置。
【請求項１１】
前記リンケージを同期及び非同期作動するための制御システムを更に備えた、請求項９に記載の装置。
【請求項１２】
前記制御システムは、コンピュータプロセッサ、位置センサ、及び配向センサ(an orientation sensor)を含む、請求項１１に記載の装置。
【請求項１３】
前記第３リンクに対して前記テストヘッドを移動するために前記第３リンクに結合されたアームを更に備えた、請求項６に記載の装置。
【請求項１４】
前記アームは、直線的ガイドレール(a linear guide rail)を含む、請求項１３に記載の装置。
【請求項１５】
前記フレームは、前記フレームを支持面(a support surface)に対して移動するための複数のホイール(wheels)を含む、請求項６に記載の装置。
【請求項１６】
シャーシと、
前記シャーシに取り付けられ、テスト物品に結合するよう構成されたテストヘッドと、
テスト物品を前記テストヘッドに近づけたり離したりするための運搬手段と、
前記テストヘッドを並進移動及び回転して、前記シャーシに対して前記テストヘッドを取り付け及び取り外しするためのリンケージを含むマニピュレータであって、前記リンケージが可動ピボット(a movable pivot)を有するようなマニピュレータと、
を備えた自動テストシステム。
【請求項１７】
前記テストヘッドを前記シャーシに対して選択的に並進移動及び回転するための制御システムを更に備えた、請求項１６に記載の装置。
【請求項１８】
前記テストヘッド及びテスト物品は、機械的に結合するように構成される、請求項１６に記載の装置。
【請求項１９】
前記マニピュレータは、請求項１に記載の装置である、請求項１６に記載の装置。
【発明の詳細な説明】
【技術分野】
【０００１】
本発明は、一般に、重さ及びサイズのために扱い難いモジュールを配置するためのマニピュレータに係り、より詳細には、テストヘッドを自動テストシステムの他の要素に対して配置するためのマニピュレータ、及びその使用方法に係る。
【背景技術】
【０００２】
経済効率が半導体産業を推進し、スペース、スピード、及びコストオブオーナーシップ(cost of ownership)を資本装置設計の重要なファクタにしている。スペースが重要であるのは、設備が非常に高価で、しばしば、構築するのに数十億ドルのコストになるからである。このような設備の所有者は、資本に対する収益を最大にするために機械を密に配置することを次第に望むようになった。従って、資本装置設計のトレンドは、床の設置面積が最小である垂直に積層可能なシステム及び機械に向かっている。
【０００３】
スピードが重要であるのは、それが出力量を決定するためである。製造スピードを高めるために、製造及びテストシステムが自動化及びモジュール化される。典型的なテストシステムでは、ロボット型のハンドリング機械が、測定装置を含むモジュラーテストヘッドとの間で物品をやり取りする。測定に基づいて、テストヘッドは、ハンドラーに対して「ヘッドオーバー」、「ヘッドアンダー」又は「垂直平面」位置にある。テストヘッド全体を、マニピュレータを使用して、システムの残り部分に取り付けたり、取外したりすることができ、テストヘッド又はインターフェイス要素を素早く交換して、異なる測定、又はテストヘッドの校正、又はメンテナンスを行うことができる。
【０００４】
コストオブオーナーシップ（所有コスト）も重要である。テストヘッドマニピュレータの場合、コストは、一般に、自由度及び重量支持能力と共に増大する。従って、マニピュレータ設計には、コストフレキシビリティテンション(cost-flexibility tension)があり、これにより、既知のテストヘッドマニピュレータは、「専用」又は「汎用」と分類される。専用マニピュレータは、通常、テストシステムの別の要素に固定され、カスタマイズされた設計重量限界、サイズ限界、及び移動範囲を有する。しかしながら、カスタマイズすることは、テストヘッドの重量、サイズ、配置又は積層要件が変化したときに、オフデザイン適用性に悪影響を及ぼす。その結果、専用マニピュレータは、時間のかかる又は高価な変更や交換を必要とすることがある。
【０００５】
これに対して、汎用マニピュレータは、通常、自立式で、移動について６つまでの自由度を有する。しかしながら、広い目的を達成するのに必要な設計上の妥協は、このようなマニピュレータを、多くの用途に対してオフデザインのカスタマイズされた装置と同程度に不適切なものにするか、又はマニピュレータを著しく高価なものにすることがある。
【０００６】
設計バランスを見出すときに、多くの既知の汎用及び専用マニピュレータは、ヒンジを使用して、テストヘッドの重量を支持しながら、ヒンジ軸の周りで回転できるようにする。このようなヒンジ構造は、数千ポンドのテストヘッド重量を支持し、充分な移動の自由度を与えることができるが、不都合なことに、テストヘッドが揺動する弧を受け容れるために著しい頭上スペース及び床スペースを必要とする。更に、垂直の並進移動が望まれる場合には、ヒンジに加えて他の構造が必要とされ、コストを増加させる。
【発明の開示】
【発明が解決しようとする課題】
【０００７】
むしろ、高いスペース効率のために半導体産業が必要としているのは、重いテストヘッドを「ヘッドオーバー(head over)」、「ヘッドアンダー(head under)」又は「垂直平面」配向へと並進移動し、回転するためのコンパクトな可搬式マニピュレータであり、このような機能を、減少された床スペース及び頭上スペース要件並びにコストで、且つカスタマイズせずに、達成することである。
【課題を解決するための手段】
【０００８】
本発明は、テストヘッドをプローバ又は他の基準に対して配置するためのマニピュレータを提供する。このマニピュレータは、フレームと、このフレームに結合されたリンケージであって、各ピボットの周りで回転する自由度を有する第１及び第２リンク、並びにこれら第１及び第２リンクに結合された第３リンクを含み、この第３リンクが並進移動及び回転の移動自由度を有するようなリンケージと、第３リンクに結合され且つテストヘッドに取り付ける構成にされたアダプタとを有している。又、本発明は、このマニピュレータを制御する方法も提供する。
【発明を実施するための最良の形態】
【０００９】
図１は、本発明による自動テストシステムの斜視図である。本発明の広い原理を教示するものであるこの実施形態では、テストシステム３０は、プローバ４０と、このプローバに接近して配置されたマニピュレータ５０と、取外し可能なテストヘッド９０とを備えている。図１のテストシステムは、明瞭化のために垂直に積層されるシステムではないが、他の実施形態は、積層型であることが容易に明らかであろう。
【００１０】
図１の実施形態では、プローバ４０は、ウェハプローバである。通常のウェハプローバは、典型的に、供給源からウェハを取り上げそしてウェハをインターフェイスに対して穏やかに且つ正確に配置するためのロボット型取り扱いメカニズムを備えている。インターフェイスの反対側に位置されたテストヘッドは、種々のプロービングテストを行うことができる。別の実施形態では、プローバがパッケージハンドラー又は他の装置に置き換えられる。本発明により多数の変更がなされ得る。
【００１１】
図１は、ヨーク６５によりマニピュレータ５０に取り付けられたテストヘッド９０を、プローバ４０に対して取外した位置で示している。しかしながら、テストを行なうために、マニピュレータは、テストヘッドを上方に持ち上げ、９０°回転し、ガイドレール６１に沿って並進移動し、そしてシャーシ４５の取り付け面４６に下げることにより、テストヘッドを再配置する。テストヘッドのこのような取り付け及び取り外しは、本書のいずれかで参照する一連の添付図面に示され、以下に詳細に説明される。異なる実施形態のテストヘッドは、いったん配置されると、その使用目的及び状況に基づいて、数分から、数日、数ヶ月、又は数年までの異なる長さの期間にわたりそのままにされる。
【００１２】
図１において、シャーシ４５を含むプローバ４０は、設備の支持面又は床に固定される。対照的に、マニピュレータ５０は、フレーム５１に結合されたホイール５３を任意に備え、これは、好都合にも、ユーザがマニピュレータを設備内で必要に応じて移動できるようにする。荷重を支持する前にマニピュレータを固定し安定化するために、フレームは、ジャッキスタンド５４を備え、これは、下方に延びるように回転して床に接触させ、そしてホイールがもはや床に接触しなくなるまでマニピュレータを上方に持ち上げることができる。固定マニピュレータのオプションのように、本発明により、ローラー(rollers)又はスキッド(skids)又はエアクッションのような多数の他の移動及び安定化手段も考えられる。
【００１３】
シャーシ４５に取り付けられると、テスト物品は、種々のそして従来の運搬手段によりテストヘッド９０へ及びテストヘッド９０から運搬される。図１の実施形態は、ロボット型運搬手段をプローバ４０内に備えているが、明瞭化のために図示されていない。典型的な運搬手段は、ウェハのボート(boat)からウェハを取り上げそして所定のテスト位置にウェハを配置するウェハ取り上げ配置ハンドラー又はロボットを備えている。本発明の原理により多数の他の運搬手段も考えられる。
【００１４】
テストヘッド９０は、素早い交換を可能にする上で効果的である取外し可能なモジュールである。モジュラーテストヘッドが何らかの理由で交換又は修理を必要とする場合には、素早く取外すことができる。本発明の好ましい実施形態は、テストヘッドを操作するものであるが、重量及びサイズのために扱い難い他のモジュールを操作することも、本発明の広い技術思想の範囲内である。
【００１５】
テストヘッド９０は、典型的には、製造プロセス中に物品をテストするための測定装置を含む。テストヘッドは、半導体ウェア、回路板等の上の電子デバイスを評価するための装置を含む。同様に、テストヘッドは、テスト物品の表面又は構造を光学的に診断するための装置を含む。他の実施形態では、テストヘッドは、スタイラス(stylus)での表面プロファイリング(surface profiling)のような機械的テストを行なう装置を含む。したがって、テストヘッドは、テスト診断が機械的又は電気的又は磁気的又は光学的原理を基礎とするか、或いは他の科学的原理を基礎とするかに基づいて、種々様々な仕方でテスト物品に結び付けられる。
【００１６】
１つの好ましい実施形態では、テストヘッド９０は、半導体ウェハ上に形成された電子装置をテストするための電子テスタである。プローバ４０の取り付け面４６に取り付けられると、ピンがテストヘッドの一部分から下方に延びる。テストを行なうために、プローバ内の運搬手段がテストウェハを、下方に延びるピンに向かって持ち上げる。したがって、ウェハ上の構造体が、電子的テストを行なうために、テストヘッドのピンと正確に且つ穏やかに機械的接触状態にされる。例えば、参考としてここに全体を援用する２００４年７月２８日に出願された“Apparatus for Planarizing a Probe Card and Method for Using Same”と題する米国特許出願第１０／９０２１８８号を参照されたい。
【００１７】
本発明により、多数の他のテストヘッド−テスト物品構成が考えられる。例えば、上述した「ヘッドオーバー(head over)」構成に代わって、テストヘッドは、「垂直平面」配向にあってもよく、この場合には、運搬手段は、テスト物品を、テストヘッドの側部に面した垂直部分へ移動する。別の実施形態では、テストヘッドを「ヘッドアンダー(head under)」構成にすることができ、この場合には、運搬手段は、テスト物品をテストヘッドの頂部に向けて下げる。
【００１８】
同様に、テストヘッドは、「垂直平面」配向にあってもよく、この場合、運搬手段は、テスト物品を、テストヘッドの側部に面した垂直部分へ移動する。
【００１９】
また、図１は、位置及び傾斜センサ（図２を参照）に結合されて、マニピュレータ５０、ひいては、テストヘッド９０の配置を制御するデジタルコンピュータプロセッサを含む制御システム７５も示している。典型的に、デジタルコンピュータプロセッサは、通常のデスクトップコンピュータの一部分である。図１は、外部取り付け構成を示している。しかしながら、ある範囲の別の実施形態は、内部即ちマニピュレータ内に取り付けられる「単一ボード(a single board)」構成のコンピュータプロセッサを有する。このような「単一ボード」の効果は、図１に示すように外部に取り付けられるデスクトップコンピュータに比して、スペースを節約することである。キーパッド又はキーボード及びモニタ、例えば、ＣＲＴ又はＬＣＤが外部に取り付けられる。
【００２０】
制御システム７５は、デジタル、又はアナログ／デジタル混合の制御システムであるのが好ましい。しかしながら、マニピュレータ５０の他の実施形態は、完全にアナログの電気機械的制御システムを有する。更に別の実施形態は、制御システムをもたず、手で操作される。また必ずしもそうでないが、制御システムは、運搬手段（図示せず）によりテストヘッドへ及びテストヘッドからテスト物品を運搬し、そしてテストヘッドによりテストするのを制御するように構成されるのが好ましい。
【００２１】
図２は、図１に示すマニピュレータの内部構造の側面図で、一部を断面図で詳細に示した図である。図１の例示とは対照的に、図２の例示は、マニピュレータ５０の内部構造を示すために、テストヘッド９０、カバー５２、アーム６０、ヨーク６５、及びフレーム５１の部分を省略している。この実施形態は、図１と同様に、教示例である。図２に示すものからの多数の変更が本発明により考えられる。
【００２２】
本発明の広い原理によれば、マニピュレータ５０は、マルチリンクリンケージ１００を備えている。リンケージの結合されたリンクは、テストヘッドの外側を通過するヒンジ軸とは対照的に、テストヘッドを通過する軸の周りでテストヘッドを回転する間にテストヘッドの重量を支持することにより、スペース効率のよいテストヘッド移動を可能にする。ヒンジマニピュレータの広い揺動弧に比して、本発明の好ましい実施形態では、テストヘッドをテストヘッドの影のサイズに関して減少された設置面積内で「転倒」できるようにする。また、本発明の好ましい実施形態では、１つの構造体が２つの自由度の運動、即ち並進移動及び回転に作用できるようにする。これは、各運動自由度に対して個別のハードウェアを有するマニピュレータに比して、コスト効果を与える。
【００２３】
図２において、リンケージ１００は、各々細長いリードスクリュー(lead screws)である第１及び第２のリンク１１０及び１２０を含む。第１及び第２のリードスクリューは、各々、ベアリングアッセンブリ１７５により回転可能に支持される末端部１１１を有する。従って、第１及び第２のリードスクリューは、各々、これらリードスクリューを通る長手軸に各々対応する第１及び第２の回転軸１９１及び１９６の周りで回転する自由度を有する。更に、以下に述べるように、リードスクリューのねじは、重量を支持し、リードナットを駆動して他の要素を作動させる。
【００２４】
第１及び第２のリンク１１０及び１２０は、底部プレート５５に枢着され、底部プレートは、次いで、フレーム５１に取り付けられる（図１を参照）。ベアリングアッセンブリ１７５は、フランジ１７６間に支持される。これらフランジは、これらフランジ及びピボットブロック１８２の穴を通過するシャフト・ベアリングアッセンブリによりピボットブロック１８２に結合される。従って、第１及び第２のリードスクリューは、第１及び第２のピボット１８０及び１８５並びにそれに対応するピボット軸１８１及び１０６の周りで回転する自由度を有する。各リードスクリューのピボット及び回転軸は、互いに垂直である。
【００２５】
リンケージ１００は、更に、第３のリンク、即ちクロスするリンク１３０も備えている。図２の実施形態では、リードナット(lead nuts)１４０が第１及び第２のリードスクリュー１１０及び１２０に各々ねじ込まれる。リードナットは、次いで、通常の慣習的な手段により第３リンクの両端に枢着される。従って、第３リンク即ちクロスリンクは、細長い第１及び第２リンクの長さに沿って移動する自由度を有する。第３リンクの両端が第１及び第２リンクに沿って同じ速度で移動する場合には、第３リンクが並進移動し、回転はしない。他方、第３リンクの両端が第１及び第２リンクに沿って異なる速度で移動する場合には、第３リンクが第３ピボット１８３の周りで回転する。
【００２６】
第１及び第２リンク１１０及び１２０のピボット各々１８０及び１８５とは対照的に、第３ピボット１８３は、底部プレート５５又は第１及び第２リンクに対して固定されず、第３リンクと共に並進移動する。
【００２７】
ある範囲の別の実施形態では、リードナット及びリードスクリューのねじ間が金属対金属のスライド接触である上述したリードスクリュー及びリードナット構成体が、第１及び第２リンク１１０及び１２０のスクリューねじが、例えば、ボール又は円筒ローラーのようなローリング素子に係合する低摩擦構成体に置き換えられる。比較的低い摩擦は、リンクを作動するのに低いトルクしか要求されず、小型で且つ低廉の駆動装置になるという点で、効果を奏する。他方、ボールスクリューを使用するもののような比較的低摩擦の実施形態は、第１及び第２リンクからトルクが取り去られたときに「バックドライブ(backdrive)」又はスリップを生じることがある。従って、この範囲の好ましい実施形態は、ブレーキ又は他のブレーキ手段、或いはアンチバックドライブメカニズム(anti-backdrive mechanism)又は他のアンチバックドライブ手段を含んでもよい。
【００２８】
典型的な実施形態において、リンケージ(linkage)１００は、アクチュエータに結合される。しかしながら、他の実施形態では、手で操作されてもよい。第１及び第２リンクが２つの独立したアクチュエータに結合されるか、又は電力を分割できる単一のアクチュエータに結合されるのが最も好ましい。リンケージの異なる部分を独立して操作すると、好都合にも、安定性及び制御性が改善される。
【００２９】
図２において、アクチュエータは、２つの独立した電気モータ１６５であり、これらは、チェーン及びスプロケット駆動装置(a chain and sprocket drive train)に結合される。第１及び第２の各リードスクリューが各リンクスプロケット(link sprocket)１７３に取り付けられる。チェーン１７２は、リンクスプロケットを駆動スプロケット(drive sprocket)１７１に結合し、この駆動スプロケットは、ギアボックス１７０に取り付けられる。ギアボックスは、更に、取り付けプレート１６６に取り付けられる。電気モータは、ギアボックスに固定される。
【００３０】
別の実施形態では、アクチュエータが機械又は電磁又は他の原理で動作して、リンケージに電力を供給することができる。アクチュエータは、例えば、電気モータ、及び空気圧又は液圧ピストンである。本発明では、多数の変更が考えられる。
【００３１】
リンケージ１００の好ましい実施形態は、曲げ又はねじれ或いはその両方の剛性を改善するために補剛(stiffening)手段を含むのも任意である。補剛は、重たいテストヘッド９０（図１を参照）と共に使用する場合に効果的である。テストヘッドは通常数千ポンドの重さであり、過剰な静的又は動的撓み(deflection)があると、リンケージの故障を招くことがある。
【００３２】
図２において、第１ピボット１８０と第２ピボット１８５との間の底部プレート５５の一部分は、堅牢な固定リンクとして働く。更に、垂直プレート１０５は、この垂直プレートにおける細長い又は実質的に長方形の穴であるスリット１２５を含む。スロットの制限内でボックス１５０が配置され、ガイドホイール及びレールシステム（図示せず）に接続される。ボックスは、このボックスに対する第３リンク１３０の回転を受け容れるための第３ベアリングアッセンブリ１８４を含む。更に、底部プレート及び垂直プレートは、互いにしっかり取り付けられる。従って、ボックス及び垂直プレートは、好都合にも、重いテストヘッド９０に対し曲げ又はねじれの剛性を与える。
【００３３】
リンケージ１００は、多数のリンク及び多数の自由度の動きを有するので、マニピュレータ５０の好ましい実施形態は、リンケージの操作を制御するシステムを備えるのも任意である。コンピュータプロセッサを含むデジタル制御システムが最も好ましいが、別の実施形態は、アナログ制御システム又は手動制御ハードウェアを備えている。
【００３４】
図２において、ブラケット１１２は、各回転軸１９１及び１９６の周りでの第１及び第２リードスクリュー１１０及び１２０の回転を感知するエンコーダ１１３を保持する。エンコーダは、部分回転をカウントするのが好ましい。精度の低い実施形態では、全回転のみがカウントされる。任意の傾斜計(inclinometer)１１４が、通常、第３ピボット１８３の付近で第３リンク１３０に取り付けられる。以下に詳細に述べるように、このようなエンコーダ及び任意の傾斜計は、制御システム７５（図１を参照）が第３リンクの位置、スピード及び角度配向を決定できるようにする。傾斜計を含まない実施形態は、エンコーダの値に基づいて角度又は傾斜を決定する。エンコーダ及び傾斜計は、コンピュータプロセッサと通信し、このプロセッサは、モータ１６５とも通信する。エンコーダ及び傾斜計のようなセンサからのデータで、コンピュータは、フィードバック制御アルゴリズムを実行して、リンケージの動きを制御することができる。
【００３５】
運転中に、モータ１６５は、スプロケット１７１、１７３及びチェーン１７２を経て、第１及び第２の各リードスクリュー１１０及び１２０を駆動する。これらリードスクリューは、第１及び第２の各回転軸１９１及び１９０の周りで時計方向又は反時計方向の各々回転することができる。リードスクリューのねじは、第３リンク（及び取り付けられたテストヘッド９０）の重量を支持する。第３リンクを垂直に並進移動するために、モータは、第３リンクの両端を駆動し、リードスクリューに沿って等しい速度で移動する。第３リンクを回転するために、モータは、第３リンクの両端を異なる速度で駆動する。速度は、各リンクに沿った異なる速度又はリンクに沿った異なる方向で相違させる。異なる速度で移動すると、第３ピボットが固定されたままであるか又は垂直に並進移動する間に、第３リンクの両端が第３ピボット１８３に対して回転する。第３リンクがピボット運動するときには、第１及び第２リンクが、第１及び第２ピボット１８０及び１８５で各々回転することにより変化を受け容れる。
【００３６】
テストヘッド又は他の物体を操作するために、第３リンク１３０（図２を参照）がアダプタに取り付けられ、アダプタがテストヘッドに取り付けられる。好ましい実施形態は、拡張型アダプタを含む。しかしながら、他の実施形態は、非拡張型アダプタを含む。
【００３７】
図３は、図１に示すマニピュレータのアームの斜視図である。アーム６０は、ボックスビーム(box beam)６４を備えている。ボックスビームの側部５９は、通常の且つ従来の手段、例えば、機械的固定具により、ピボット１８３の付近で第３リンク１３０（図２を参照）にしっかり取り付けられる。第３リンクにしっかり取り付けられて、アームは、第３リンクと共に回転し並進移動する。
【００３８】
アーム６０は、ボックスビーム６４に取り付けられた一対のアームガイドレール６１を含む拡張型アダプタである。テストヘッド９０（図１を参照）を受け入れ且つそれに固定するように形成され且つそのような寸法にされたヨーク６５は、取り付けられたガイドホイール（図示せず）上のガイドレールに載る。
【００３９】
ボックスビーム６４内には、アームモータ６２が位置される。アームリードスクリュー６４と、このリードスクリューにねじ込まれてヨーク６０に結合されたリードナット（図示せず）は、ガイドレール６１に沿って互いに逆の第１及び第２方向のいずれかにヨークを移動するための並進移動メカニズムを形成する。好ましい実施形態は、アームモータ、アームリードスクリュー及びリードナットに届くためのアクセスポート６６を含む。
【００４０】
ガイドレール６１に沿った水平の並進移動は、比較的僅かな力しか必要としないので、ある範囲の別の実施形態のアーム６０は、手動で並進移動するための簡単な取っ手を備えている。他の範囲の実施形態は、モータ作動のリードスクリュー及びリードナット構成体に代わって、空気圧又は液圧アクチュエータのような加圧アクチュエータを含む。本発明により多数の他の代替も考えられる。
【００４１】
ここで、機能の例に注意を向けると、図４ないし９は、テストヘッド取り付け操作の進行につれて図１のシステムを側面から示している。図４ａないし９ａは、マニピュレータが図４ないし９の位置に各々あるときのマニピュレータの内部構造の側面図である。図４ａないし９ａに示す構造は、図２に示す構造に対応する。
【００４２】
図４において、テストヘッド９０は、プローバ４０から取り外され、「修理(service)」位置にある。図４ａは、修理位置(service position)におけるリンケージ１００の位置を示す。一連の動きで前進すると、マニピュレータ５０は、プローバ上の最終取り付け位置即ち「ドックされた(docked)」位置へテストヘッドを並進移動し回転させる。
【００４３】
対応する図５及び図５ａにより示された第１制御ステップにおいて、ユーザは、スイッチ又は他の装置をトグル(toggle)し、そして制御システム７５（図１を参照）は、第１及び第２のリードスクリュー１１０及び１２０を同期状態で駆動することにより第３リンク１３０の垂直並進移動を開始する。第１及び第２のリードスクリューが回転するときに、第３リンクの両端が同じ速度で各リードスクリューに沿って移動する。従って、第３リンクの回転は生じない。アーム６０及びテストヘッド９０は、各々第３リンクに取り付けられているので、垂直に並進移動する。リードスクリューに結合されてその回転又は部分回転をカウントするエンコーダのような通常の慣習的なセンサは、リードスクリューに沿った距離、ひいては、リードスクリューの既知のねじ込みに基づく高さを決定するためのフィードバックを与える。この動きは、第３リンクが所定の「回転高さ」に達するまで続く。
【００４４】
対応する図６及び図６ａにより示された第２ステップにおいて、第３リンク１３０が回転し、ひいては、アーム６０及びテストヘッド９０を回転させる。回転を行なうために、制御システム７５は、第３リンク１３０の両端を異なる速度で駆動する。第２のリードスクリュー１２０が回転を続けるときに、第１のリードスクリュー１１０が回転を停止するのが好ましい。或いは又、第１のリードスクリューが非ゼロの回転速度に低速化するか、又はその回転方向を逆転してもよい。第３リンクが第３ピボット１８３の周りで回転するときに、第１及び第２のリードスクリューは、各々、第１及び第２のピボット１８０及び１８５の周りでピボット運動する。この回転運動は、第３リンクが、例えば、図６ａのような所定の傾斜に達するまで続き、これは、図６に示すように、４５°のテストヘッド回転を生じさせる。
【００４５】
上述した回転運動の間に、リンケージ１００に結合されたエンコーダ１１３のような通常の慣習的なセンサは、傾斜を決定するためのフィードバックを与える。エンコーダよりも比較的低廉な任意の傾斜計１１４が、通常、地球重力に対する初期基準傾斜を与える。傾斜計等で初期化されると、制御システム７５は、エンコーダの「カウント」（回転量）を記憶する。エンコーダのカウントと共に、制御システムは、リードスクリューの既知のねじ込みが与えられると、傾斜を決定する。エンコーダのカウントは、典型的に、１回転の一部分であるから、高い精度及び再現性で所定の傾斜（所定の垂直位置と同等）が得られる。
【００４６】
対応する図７及び図７ａにより示された任意の第３ステップにおいて、第３リンク１３０は、垂直に並進移動し、ひいては、アーム６０及びテストヘッド９０を垂直に並進移動させる。この並進移動を達成するために、制御システム７５は、上述した第１ステップと同様に、第１及び第２のリードスクリューを同期状態で駆動する。この動きは、第３リンクがプローバ４０上の所定の位置に到達するまで続けられる。
【００４７】
任意の第４ステップにおいて、第３リンク１３０の傾斜が、前述の第２ステップと同様に、回転により微調整又は修正される。
【００４８】
対応する図８及び図８ａによって示された第５ステップにおいて、第３リンク１３０が固定のままとされ、そしてアーム６０は、テストヘッド９０を水平に並進移動するように延びる。並進移動を行なうために、制御システム７５は、アームモータ６２を付勢して、アームのリードスクリュー６３を駆動し、ヨーク６５をガイドレール６１（図３を参照）に沿って並進移動させる。アームのリードスクリューに結合されたエンコーダのような通常の慣習的なセンサは、プローバ上の実際の位置を決定するためのフィードバックを与える。この動きは、ヨーク、ひいては、取り付けられたテストヘッドが、プローバ４０上の所定の位置に達するまで続けられる。
【００４９】
対応する図９及び図９ａによって示された第６ステップにおいて、第３リンク１３０が垂直方向下方に並進移動し、ひいては、アーム６０及びテストヘッド９０を垂直方向下方に並進移動する。この並進移動を行なうために、制御システム７５は、第１及び第２のリードスクリューを、前述の第１ステップと同様に、同期状態で駆動するが、回転方向は逆転される。この動きは、第３リンクがプローバ４０上の所定の位置に達するまで続けられ、ここでは、テストヘッドがプローバに対して取り付け位置又は「ドックされた(docked)」位置となる。
【００５０】
テストヘッド９０をプローバ４０から取り外し又は「ドック解除(de-dock)」し、そして「修理(service)」位置に戻るために、ユーザはスイッチをトグルし、そして制御システム７５（図１を参照）は、上述したステップを逆に開始する。ドッキングシーケンスに任意のステップが含まれた場合でも、傾斜修正の第４ステップを省略することができる。
【００５１】
従って、マニピュレータ５０は、最小量の頭上スペース及び床設置面積でテストヘッド９０を「修理(service)」位置から「ドックされた(docked)」位置へ又はその逆にもっていく。リンケージ１００（図２を参照）は、テストヘッドの外側を通過するヒンジ軸とは対照的に、テストヘッドを通過する軸の周りでテストヘッドを回転する間にテストヘッドの重量を支持することにより、このスペース効率のよいテストヘッドの動きを可能にする。ヒンジマニピュレータの広い揺動弧に比して、本発明の好ましい実施形態では、図４ないし９に示すように、テストヘッドをテストヘッドの影のサイズに関して減少された設置面積内で「転倒(tumbled)」できるようにする。明らかなように、垂直の並進移動及びぴったりとした転倒移動(tight tumbling)は、垂直積層システムに対して特に効果的である。
【００５２】
更に、マニピュレータ５０は、１つの構造で、２つの自由度の運動、即ち並進移動及び回転を行なえるようにする。これは、各自由度の運動に対して個別のハードウェアを有するマニピュレータに比してコスト効率を与える。
【００５３】
更に、制御システム７５では、ユーザは、ボタンにタッチすることで上述した複雑な動きを行うことができる。これは、典型的にオン／オフアクチュエータ動作しかない多数の既知のマニピュレータに勝る効果である。
【００５４】
制御方法に話を転じると、本発明により多数の制御アルゴリズム又は技術が考えられる。例えば、リードスクリュー１１０及び１２０（図２を参照）を制御するための１つの技術は、リードスクリューの希望回転数（これは、リードスクリューの長さ及びねじの数が既知であるから位置に関係している）を入力し、そして希望回転数が所定の公差内で達成されるまでリードスクリューを駆動する制御ループを実施することである。希望回転数が所定の公差内になると、リードスクリューが停止する。
【００５５】
例示的な制御ループ内では、リードスクリューの公称回転速度が、２つの項の和として決定される。一方の項は、希望の回転数に達するためになすべき回転に関係している。この項は、駆動シーケンスの始めに最大であり、そしてなすべき回転数が減少するにつれて減少する。希望の回転数に速く近付くために、第２の項は、各位置から先へなすべき回転の位置にわたる和に関係している。この第２の項は、駆動シーケンスにわたる和であるから、駆動シーケンスの始めに最小であり、そして増加する。異なる実施形態では、これらの項は、直線的でも非直線的でもよく、本発明により多数の変更が考えられる。
【００５６】
同期回転については、制御システム７５は、第１及び第２の両リードスクリュー１１０及び１２０を公称速度(nominal speed)で駆動する。公称速度を得るために、モータ１６５（図２を参照）への入力は、モータ入力を３つの項の和として表わすことによって例示的制御ループ内で決定される。第１の項は、上述した公称速度に対するモータ入力に対応する。公称速度に対する表現と同様に、第２の項は、第１及び第２のリードスクリューの回転の差に関係し、そして第３の項は、第１及び第２のリードスクリューの回転の差の位置にわたる和に関係している。従って、第１及び第２のリードスクリュー間に速度差があるときには、対応する第２項及び第３項が、等しい速度に向かう修正を与える。
【００５７】
非同期回転については、制御システム７５は、第１及び第２のリードスクリュー１１０及び１２０を異なる速度で駆動する。公称速度及びモータ入力の場合と同様に、例示的な制御アルゴリズムは、リードスクリューの回転にわたるループを備え、異なる傾向の項の和からモータ入力が決定される。
【００５８】
所有コスト（コストオブオーナーシップ：cost of ownership）に関して付加的な効果を与えるために、ある範囲の好ましい実施形態のマニピュレータ５０は、停電が生じた場合に回転数を失い得るエンコーダを備えている。このようなエンコーダは、停電があっても回転数を保存する絶対的なエンコーダよりも比較的低廉である。これらの実施形態では、制御システム７５は、位置センサからの入力で、エンコーダがリセットされる基準位置即ち「ホーム」を見出すアルゴリズムを実行することができる。
【００５９】
一実施形態では、制御システム７５は、最初に、リードスクリュー１１０及び１２０を同期状態で作動して、テストヘッド９０を、垂直「ホーム(home)」センサがトリガーされるまで並進移動することにより、「ホーム(home)」アルゴリズムを実行する。第２に、制御システムは、リードスクリューを非同期で作動し、次いで、前記第１ステップと同様に垂直位置を再調整することにより、テストヘッドの傾斜を垂直「ホーム(home)」において所定の傾斜で確立する。第３に、制御システムは、ヨーク６５がガイドレール６１上の一方の移動端又は他方の移動端に達するまでアームモータ６２を作動し、次いで、ヨークをガイドレールに沿って移動の「ホーム(home)」へもっていく。次いで、制御システムは、アームのリードスクリュー６３に結合されたエンコーダをリセットする。第４に、制御システムは、アームモータを作動して、ヨークをガイドレール上の「修理(service)」位置へもっていく。第５に、制御システムは、第１及び第２のリードスクリューを同期状態で作動して、テストヘッドを若干下げる。第６に、制御システムは、リードスクリューを非同期状態で作動することによりテストヘッドの傾斜を高い精度で確立する。最終的に、制御システムは、垂直「ホーム(home)」センサがトリガーされるまでリードスクリューを同期状態で作動する。次いで、制御システムは、第１及び第２のリードスクリューに結合されたエンコーダをリセットする。
【図面の簡単な説明】
【００６０】
【図１】本発明の一実施形態による自動テストシステムの斜視図である。
【図２】図１に示すマニピュレータの内部構造の側面図で、一部を断面図で詳細に示した図である。
【図３】図１に示すマニピュレータのアームの斜視図である。
【図４】図１のシステムの側面図で、テストヘッドをプローバに取り付けるための一連の位置における第１位置即ち修理位置を示す図である。
【図４ａ】マニピュレータが図４に示す位置にあるときの、図２に対応するマニピュレータの内部構造の側面図である。
【図５】テストヘッドの上方垂直並進移動を行なった後の、図４のシステムの側面図である。
【図５ａ】マニピュレータが図５に示す位置にあるときの、図２に対応するマニピュレータの内部構造の側面図である。
【図６】テストヘッドの回転を行なった後の、図５のシステムの側面図である。
【図６ａ】マニピュレータが図６に示す位置にあるときの、図２に対応するマニピュレータの内部構造の側面図である。
【図７】テストヘッドの更なる回転を行なった後の、図６のシステムの側面図である。
【図７ａ】マニピュレータが図７に示す位置にあるときの、図２に対応するマニピュレータの内部構造の側面図である。
【図８】テストヘッドの水平並進移動を行なった後の、図７のシステムの側面図である。
【図８ａ】マニピュレータが図８に示す位置にあるときの、図２に対応するマニピュレータの内部構造の側面図である。
【図９】テストヘッドの下方垂直並進移動を行なった後の、図８のシステムの側面図である。
【図９ａ】マニピュレータが図９に示す位置にあるときの、図２に対応するマニピュレータの内部構造の側面図である。
【図１】
2009503854.tif 000003
【図２】
2009503854.tif 000004
【図３】
2009503854.tif 000005
【図４】
2009503854.tif 000006
【図４Ａ】
2009503854.tif 000007
【図５】
2009503854.tif 000008
【図５Ａ】
2009503854.tif 000009
【図６】
2009503854.tif 000010
【図６Ａ】
2009503854.tif 000011
【図７】
2009503854.tif 000012
【図７Ａ】
2009503854.tif 000013
【図８】
2009503854.tif 000014
【図８Ａ】
2009503854.tif 000015
【図９】
2009503854.tif 000016
【図９Ａ】
2009503854.tif 000017
【国際調査報告】
2009503854.tif 000018
2009503854.tif 000019